Podtech/llm-jp-corpus-v4-ja_patent huggingface dataset:
【手続補正書】
【提出日】平成25年9月18日(2013.9.18)
【手続補正１】
【補正対象書類名】明細書
【補正対象項目名】００１０
【補正方法】変更
【補正の内容】
【００１０】
請求項３に記載の構成にしたがうと、前記カバーは、板バネ様ストリップの中央横軸（主軸）と隣り合って延びる。この配置により、ネイルブレスはネイルブレス装着具によって中央に把持することができるので、当該ネイルブレスはネイルブレス装着具の装着面と中心を揃えて接触するようになりえる。
【手続補正２】
【補正対象書類名】明細書
【補正対象項目名】００１６
【補正方法】変更
【補正の内容】
【００１６】
請求項１０にしたがうと、ネイルブレス装着具の保持要素が、装着面において、ネイルブレス装着具の装着面の中央横軸（中央横断軸）と隣り合って実質的に配置されるので、ネイルブレスを装着面上において中央に揃えて装着することを可能にさせる。特に、磁気材料を備えるネイルブレスのカバーが、ネイルブレスの中央横軸と隣り合って延び、且つ、磁気を帯びて構成された保持要素が、ネイルブレス装着具の装着面の中央横軸と隣り合って延びる場合には、当該装着面とネイルブレスが共通の中央横軸と隣り合って接触するようにもたらすことが可能となるので、装着面へのネイルブレスの安定な支持が可能とされる。
【手続補正３】
【補正対象書類名】明細書
【補正対象項目名】００２４
【補正方法】変更
【補正の内容】
【００２４】
第一実施態様のネイルブレス２は、図２及び図３にしたがい、弾塑性材料で作られた板バネ様ストリップ５であって、当該ストリップ５の長手範囲を横断して進む、中央横軸６を備えた板バネ様ストリップ５と、上側部７、下側部８、二つの長手方向縁９、１０、ならびに、中央横軸６から間隔を置いて配置された二つの縁領域１１、１２とを備えている。板バネ様ストリップは、中央横軸６を通り抜ける中央面について実質的に対称であって、ブレス長ｄ１とブレス幅ｄ２とを有している。
【手続補正４】
【補正対象書類名】明細書
【補正対象項目名】００２７
【補正方法】変更
【補正の内容】
【００２７】
前記カバー１３は、前記板バネ様ストリップ５の上側部７に薄層の状態で取り付けられ、且つ、中央横軸６に隣接するストリップ５の中央領域内を延在している。カバー１３は、上側部７が、目に見えて分かるほどの隆起が無い概ね平らな面を形成するように、前記板バネ様ストリップ５の上側部７に薄層の状態で取り付けられるのが好ましい。前記カバー１３は、ブレス長ｄ１と比較して、より短い長軸範囲ｄ３を有している。好ましい実施態様において、カバー１３の横軸範囲ｄ４は、前記ブレス幅ｄ２に対応し、少なくとも前記横軸範囲ｄ４は、ブレス幅ｄ２の少なくとも３／４を覆うことが好ましい。しかし、ブレス幅ｄ２とそれが等しくてもよい。
【手続補正５】
【補正対象書類名】明細書
【補正対象項目名】００５１
【補正方法】変更
【補正の内容】
【００５１】
保持されたネイルブレス２を備えたネイルブレス装着具３は、次に図１１に示すように、治療する爪４の側方の外側縁上に設置されて、板バネ様ストリップ５の縁領域１１が最初に前記爪４と接触するようになる。解剖学的事実にしたがい、前記ネイルブレス装着具３は、場合によって隣り合うつま先３３の方向へ大きく傾ける必要がある。ここで隣り合うつま先３３による衝突が生じること無くこのような大きい傾斜を可能にするために、この状況において隣り合うつま先３３に面するネイルブレス装着具３の長手方向側面１９上に窪み２３が設けられる。前記窪み２３は、隣り合うつま先３３のために空きスペースをもたらす（図１１参照）。
【手続補正６】
【補正対象書類名】明細書
【補正対象項目名】００５７
【補正方法】変更
【補正の内容】
【００５７】
ネイルブレス３６は、カバー３８の構成だけがネイルブレス２と異なっている。強磁性材料１４を含有するカバー３８は接着ストリップとして構成され、高さｈ１０を有している。図４、図５及び図１４に記載のカバー３８は、例えば鉄、ニッケル、又は、コバルトのような強磁性材料で作られた実質的に長方形のベースボディ３９を備えることが好ましい。ネイルブレス３６の第二実施態様におけるカバー（コーティング）３８は、板バネ様ストリップ５に糊づけされる。
【手続補正７】
【補正対象書類名】明細書
【補正対象項目名】００６０
【補正方法】変更
【補正の内容】
【００６０】
ネイルブレス装着具３７の第一装着面１７上におけるネイルブレス３６の支持位置において、カバー３８は残りの窪み４０、４１のうち一つと係合するので、カバー３８を備えていないネイルブレス３６の上側部７の領域は、装着面１７、１８のうち一つと直に接触して載る。カバー３８の寸法ｄ３、ｄ４は、前記残りの窪み４０、４１の寸法よりも小さくなるように選択される。この構成により、支持位置のカバー３８はその全高さｄ１０でもって、残りの窪み４０、４１のうち一つに入る。当該窪み４０、４１のうち一つとカバー３８とのインターロックにより、ネイルブレス３６はネイルブレス装着具３７上にさらに固定されて、装着面１７、１８上を滑らないようにされる。
【手続補正８】
【補正対象書類名】図面
【補正対象項目名】図１４
【補正方法】変更
【補正の内容】
【図１４】
2013111477.tif 000001
【手続補正書】
【提出日】平成25年4月26日(2013.4.26)
【手続補正１】
【補正対象書類名】明細書
【補正対象項目名】０００８
【補正方法】変更
【補正の内容】
【０００８】
請求項１記載の発明は、遊技機の背面側に配設され、所定量の遊技球を収容し得る収容タンクと、該収容タンクに接続され、当該収容タンク内の遊技球を１列に整列させつつ流下させ得るタンクレールとを具備したパチンコ遊技機において、前記収容タンク内の遊技球が前記タンクレールにて流下し得るよう構成されるとともに、当該タンクレールは、互いに幅方向にオフセットして延設された上流側の第１延設部及び下流側の第２延設部と、当該第１延設部及び第２延設部を連結させる連結部とを有して成り、前記第１延設部の幅が前記連結部に向かって漸次小さくなるよう構成され、且つ、前記第１延設部は、前記第２延設部がオフセットする側に位置する一方の壁部と当該一方の壁部と対向した他方の壁部とを有し、これら一方の壁部と他方の壁部との間で遊技球を流下させ得るとともに、前記一方の壁部を他方の壁部に向かって漸次近接させた構成とされ、前記第２延設部の流路の幅寸法が前記第１延設部と前記収容タンクとの境界部における流路の幅寸法より小さく設定されたことを特徴とする。
【手続補正２】
【補正対象書類名】明細書
【補正対象項目名】０００９
【補正方法】変更
【補正の内容】
【０００９】
請求項２記載の発明は、請求項１記載のパチンコ遊技機において、前記タンクレールには、遊技球の流路の上部に配設されて上層の遊技球と干渉して単層に均す手段を具備したことを特徴とする。
【手続補正３】
【補正対象書類名】明細書
【補正対象項目名】００１２
【補正方法】変更
【補正の内容】
【００１２】
請求項１、２の発明によれば、タンクレールは、互いに幅方向にオフセットして延設された上流側の第１延設部及び下流側の第２延設部と、当該第１延設部及び第２延設部を連結させる連結部とを有して成り、第１延設部の幅が連結部に向かって漸次小さくなるよう構成され、且つ、第２延設部の流路の幅寸法が第１延設部と収容タンクとの境界部における流路の幅寸法より小さく設定されたので、上下層を成して流下する遊技球を所定部位で単層にすることができるとともに、払出装置の払出速度に容易に追従して遊技球を流下させることができ、かつ、構成の複雑化を回避しつつ多量の遊技球を流下させることができる。
【手続補正４】
【補正対象書類名】明細書
【補正対象項目名】００１３
【補正方法】変更
【補正の内容】
【００１３】
さらに、第１延設部は、第２延設部がオフセットする側に位置する一方の壁部と当該一方の壁部と対向した他方の壁部とを有し、これら一方の壁部と他方の壁部との間で遊技球を流下させ得るとともに、一方の壁部を他方の壁部に向かって漸次近接させたので、上下層を成して流下する遊技球をより確実かつ円滑に単層にすることができる。
【手続補正５】
【補正対象書類名】明細書
【補正対象項目名】００３８
【補正方法】変更
【補正の内容】
【００３８】
収容タンク内の遊技球がタンクレールにて流下し得るよう構成されるとともに、当該タンクレールは、互いに幅方向にオフセットして延設された上流側の第１延設部及び下流側の第２延設部と、当該第１延設部及び第２延設部を連結させる連結部とを有して成り、第１延設部の幅が前記連結部に向かって漸次小さくなるよう構成され、且つ、第１延設部は、第２延設部がオフセットする側に位置する一方の壁部と当該一方の壁部と対向した他方の壁部とを有し、これら一方の壁部と他方の壁部との間で遊技球を流下させ得るとともに、一方の壁部を他方の壁部に向かって漸次近接させた構成とされ、第２延設部の流路の幅寸法が第１延設部と収容タンクとの境界部における流路の幅寸法より小さく設定されたパチンコ遊技機であれば、外観形状が異なるもの或いは他の機能が付加されたもの等に適用してもよい。
【手続補正６】
【補正対象書類名】特許請求の範囲
【補正対象項目名】全文
【補正方法】変更
【補正の内容】
【特許請求の範囲】
【請求項１】
遊技機の背面側に配設され、所定量の遊技球を収容し得る収容タンクと、
該収容タンクに接続され、当該収容タンク内の遊技球を１列に整列させつつ流下させ得るタンクレールと、
を具備したパチンコ遊技機において、
前記収容タンク内の遊技球が前記タンクレールにて流下し得るよう構成されるとともに、当該タンクレールは、互いに幅方向にオフセットして延設された上流側の第１延設部及び下流側の第２延設部と、当該第１延設部及び第２延設部を連結させる連結部とを有して成り、前記第１延設部の幅が前記連結部に向かって漸次小さくなるよう構成され、且つ、前記第１延設部は、前記第２延設部がオフセットする側に位置する一方の壁部と当該一方の壁部と対向した他方の壁部とを有し、これら一方の壁部と他方の壁部との間で遊技球を流下させ得るとともに、前記一方の壁部を他方の壁部に向かって漸次近接させた構成とされ、前記第２延設部の流路の幅寸法が前記第１延設部と前記収容タンクとの境界部における流路の幅寸法より小さく設定されたことを特徴とするパチンコ遊技機。
【請求項２】
前記タンクレールには、遊技球の流路の上部に配設されて上層の遊技球と干渉して単層に均す手段を具備したことを特徴とする請求項１記載のパチンコ遊技機。
【請求項３】
前記第１延設部、連結部及び第２延設部に亘って遊技球が連なって流下する状態において、前記連結部にある一の遊技球の前後の遊技球のうち直後の遊技球が前記第１延設部の延設方向に流下するともに直前の遊技球が前記第２延設部の延設方向に流下するよう構成されたことを特徴とする請求項１又は請求項２記載のパチンコ遊技機。
【請求項４】
前記第１延設部は、その基端が前記収容タンクに接続されるとともに、前記第２延設部は、その先端が遊技球を払い出すための払出装置における遊技球の導入口に接続可能とされたことを特徴とする請求項１〜３の何れか１つに記載のパチンコ遊技機。
【手続補正書】
【提出日】平成25年4月26日(2013.4.26)
【手続補正１】
【補正対象書類名】明細書
【補正対象項目名】０００８
【補正方法】変更
【補正の内容】
【０００８】
請求項１記載の発明は、遊技機の背面側に配設され、所定量の遊技球を収容し得る収容タンクと、該収容タンクに接続され、当該収容タンク内の遊技球を１列に整列させつつ流下させ得るタンクレールとを具備したパチンコ遊技機において、前記タンクレールは、遊技機の幅方向に延設するとともに互いに遊技機の前後方向にオフセットされた上流側の第１延設部及び下流側の第２延設部と、当該第１延設部及び第２延設部を連結させるとともに第１延設部及び第２延設部の間で遊技機に対して前後方向の流路を形成する連結部とを備え、前記タンクレールのレール底面を前後に連なって流下する遊技球のうち下流側の遊技球が前記連結部から前記第２延設部へ移動する際に上流側の遊技球との間において遊技機の幅方向に対する速度差を生じさせて隙間を形成するとともに、前記タンクレールの底面を流下する遊技球の上層に位置する遊技球が当該隙間に入り込むことで上下層を成す遊技球を単層とし得るものとされ、且つ、前記タンクレールには、遊技球の流路の上部に配設された上層の遊技球と干渉して単層に均す手段を具備したことを特徴とする。
【手続補正２】
【補正対象書類名】明細書
【補正対象項目名】００１１
【補正方法】変更
【補正の内容】
【００１１】
請求項１の発明によれば、タンクレールのレール底面を前後に連なって流下する遊技球のうち下流側の遊技球が連結部から第２延設部へ移動する際に上流側の遊技球との間において遊技機の幅方向に対する速度差を生じさせて隙間を形成するとともに、タンクレールの底面を流下する遊技球の上層に位置する遊技球が当該隙間に入り込むことで上下層を成す遊技球を単層とし得るものとされ、且つ、タンクレールには、遊技球の流路の上部に配設された上層の遊技球と干渉して単層に均す手段を具備したので、上下層を成して流下する遊技球を所定部位で単層にすることができるとともに、払出装置の払出速度に容易に追従して遊技球を流下させることができる。
【手続補正３】
【補正対象書類名】明細書
【補正対象項目名】００３１
【補正方法】変更
【補正の内容】
【００３１】
以上、本実施形態について説明したが本発明はこれらに限定されるものではない。連結部８ｃに加えて、上下層を成して流下する遊技球を崩して単層とし得る他の手段（流路の上部で上層の遊技球と干渉して均す手段等）をタンクレール７に配設している。なお、上下層を成す遊技球は、上下２層に限らず上下方向に対して３層以上の複数層であってもよい。また、タンクレール７に連結部８ｃと第１延設部８ａ及び第２延設部８ｂは、本実施形態の如く一体であってもよく、別体のものを接続させたものとしてもよい。なお、連結部８ｃは、直線状の流路であってもよく所定の曲率を有して屈曲した湾曲形状の流路であってもよい。
【手続補正４】
【補正対象書類名】明細書
【補正対象項目名】００３２
【補正方法】変更
【補正の内容】
【００３２】
遊技機の幅方向に延設するとともに互いに遊技機の前後方向にオフセットされた上流側の第１延設部及び下流側の第２延設部と、当該第１延設部及び第２延設部を連結させるとともに第１延設部及び第２延設部の間で遊技機に対して前後方向の流路を形成する連結部とを備えたタンクレールを具備し、タンクレールのレール底面を前後に連なって流下する遊技球のうち下流側の遊技球が連結部から第２延設部へ移動する際に上流側の遊技球との間において遊技機の幅方向に対する速度差を生じさせて隙間を形成するとともに、タンクレールの底面を流下する遊技球の上層に位置する遊技球が当該隙間に入り込むことで上下層を成す遊技球を単層とし得るものとされ、且つ、タンクレールには、遊技球の流路の上部に配設された上層の遊技球と干渉して単層に均す手段を具備したパチンコ遊技機であれば、外観形状が異なるもの或いは他の機能が付加されたもの等に適用してもよい。
【手続補正５】
【補正対象書類名】特許請求の範囲
【補正対象項目名】全文
【補正方法】変更
【補正の内容】
【特許請求の範囲】
【請求項１】
遊技機の背面側に配設され、所定量の遊技球を収容し得る収容タンクと、
該収容タンクに接続され、当該収容タンク内の遊技球を１列に整列させつつ流下させ得るタンクレールと、
を具備したパチンコ遊技機において、
前記タンクレールは、
遊技機の幅方向に延設するとともに互いに遊技機の前後方向にオフセットされた上流側の第１延設部及び下流側の第２延設部と、
当該第１延設部及び第２延設部を連結させるとともに第１延設部及び第２延設部の間で遊技機に対して前後方向の流路を形成する連結部と、
を備え、前記タンクレールのレール底面を前後に連なって流下する遊技球のうち下流側の遊技球が前記連結部から前記第２延設部へ移動する際に上流側の遊技球との間において遊技機の幅方向に対する速度差を生じさせて隙間を形成するとともに、前記タンクレールの底面を流下する遊技球の上層に位置する遊技球が当該隙間に入り込むことで上下層を成す遊技球を単層とし得るものとされ、且つ、前記タンクレールには、遊技球の流路の上部に配設された上層の遊技球と干渉して単層に均す手段を具備したことを特徴とするパチンコ遊技機。
【請求項２】
前記第１延設部、連結部及び第２延設部に亘って遊技球が連なって流下する状態において、前記連結部にある一の遊技球の前後の遊技球のうち直後の遊技球が前記第１延設部の延設方向に流下するともに直前の遊技球が前記第２延設部の延設方向に流下するよう構成されたことを特徴とする請求項１記載のパチンコ遊技機。
【請求項３】
前記第１延設部は、その基端が前記収容タンクに接続されるとともに、前記第２延設部は、その先端が遊技球を払い出すための払出装置における遊技球の導入口に接続可能とされたことを特徴とする請求項１又は請求項２記載のパチンコ遊技機。
【手続補正書】
【提出日】平成25年5月8日(2013.5.8)
【手続補正１】
【補正対象書類名】特許請求の範囲
【補正対象項目名】全文
【補正方法】変更
【補正の内容】
【特許請求の範囲】
【請求項１】
遊技領域に設けられた始動領域を遊技媒体が通過したことに基づいて、各々を識別可能な複数種類の識別情報の可変表示を行い表示結果を導出し、識別情報の可変表示の表示結果として予め定められた特定表示結果が導出されたときに、遊技者にとって有利な特定遊技状態に制御する遊技機であって、
前記始動領域を遊技媒体が通過したにもかかわらず未だ開始されていない識別情報の可変表示について、前記特定表示結果とするか否かを決定するための情報を所定の上限記憶数の範囲内で保留情報として記憶可能な保留記憶手段と、
前記保留記憶手段に記憶されている前記保留情報の各々に対応した保留特定情報を表示する保留表示手段と、
識別情報の可変表示を開始するときに前記保留記憶手段から読み出した前記保留情報に基づいて、当該識別情報の可変表示の表示結果を前記特定表示結果とするか否かを決定する開始時決定手段と、
前記開始時決定手段の決定結果に基づいて、識別情報の可変表示を実行する可変表示実行手段と、
前記保留記憶手段に記憶される前記保留情報に基づいて、当該保留情報に対応した識別情報の可変表示の表示結果が前記特定表示結果となるか否かを前記開始時決定手段による決定前に判定する開始前判定手段と、
前記開始前判定手段による判定に基づいて、当該判定の対象となった前記保留情報に対応する前記保留特定情報の表示態様を特殊態様で表示させる特殊態様表示手段と、
遊技者が操作可能な操作手段と、
前記保留表示手段により前記保留特定情報が前記特殊態様で表示されているときに、前記操作手段により当該特殊態様に対応した所定の操作がなされたことに応じて、前記開始前判定手段による判定に基づいて、当該保留特定情報の表示態様を特別態様に変化させる特別態様変化手段と、を備え、
前記特別態様変化手段は、複数の前記保留特定情報が前記特殊態様で表示されているときには、前記特殊態様で表示されている複数の前記保留特定情報のいずれの表示態様を前記特別態様に変化させるかに応じて、異なる割合でそれぞれ表示態様の異なる複数種類の前記特別態様のいずれかに変化させる
ことを特徴とする遊技機。
【手続補正２】
【補正対象書類名】明細書
【補正対象項目名】０００７
【補正方法】変更
【補正の内容】
【０００７】
上記目的を達成するため、本発明の遊技機は、
（１）遊技領域に設けられた始動領域（例えば普通入賞球装置６Ａが形成する第１始動入賞口や普通可変入賞球装置６Ｂが形成する第２始動入賞口など）を遊技媒体（例えば遊技球など）が通過したことに基づいて、各々を識別可能な複数種類の識別情報（例えば特別図柄や飾り図柄など）の可変表示を行い表示結果を導出し、識別情報の可変表示の表示結果として予め定められた特定表示結果（例えば大当り図柄となる確定特別図柄や大当り組合せとなる確定飾り図柄など）が導出されたときに、遊技者にとって有利な特定遊技状態（例えば大当り遊技状態など）に制御する遊技機（例えばパチンコ遊技機１など）であって、前記始動領域を遊技媒体が通過したにもかかわらず未だ開始されていない識別情報の可変表示について、前記特定表示結果とするか否かを決定するための情報を所定の上限記憶数（例えば第１、第２特図保留記憶数がそれぞれ「４」以下など）の範囲内で保留情報として記憶可能な保留記憶手段（例えば第１、第２特図保留記憶部１５１Ａ、１５１Ｂなど）と、前記保留記憶手段に記憶されている前記保留情報の各々に対応した保留特定情報を表示する保留表示手段（例えば画像表示装置５における始動入賞記憶表示エリア５Ｈなど）と、識別情報の可変表示を開始するときに前記保留記憶手段から読み出した前記保留情報に基づいて、当該識別情報の可変表示の表示結果を前記特定表示結果とするか否かを決定する開始時決定手段（例えばステップＳ２４０の処理を実行するＣＰＵ１０３など）と、前記開始時決定手段の決定結果に基づいて、識別情報の可変表示を実行する可変表示実行手段（例えばステップＳ２７３の処理を実行した後、ステップＳ１１２、Ｓ１１３の処理を実行するＣＰＵ１０３など）と、前記保留記憶手段に記憶される前記保留情報に基づいて、当該保留情報に対応した識別情報の可変表示の表示結果が前記特定表示結果となるか否かを前記開始時決定手段による決定前に判定する開始前判定手段（例えばステップＳ２１２の入賞時乱数値判定処理を実行するＣＰＵ１０３など）と、前記開始前判定手段による判定に基づいて、当該判定の対象となった前記保留情報に対応する前記保留特定情報の表示態様を特殊態様で表示させる特殊態様表示手段（例えばステップＳ７１０の処理に基づきステップＳ７１４、Ｓ７１５の処理を実行する演出制御用ＣＰＵ１２０など）と、遊技者が操作可能な操作手段（例えばスティックコントローラ３１Ａやプッシュボタン３１Ｂなど）と、前記保留表示手段により前記保留特定情報が前記特殊態様で表示されているときに、前記操作手段により当該特殊態様に対応した所定の操作がなされたことに応じて、前記開始前判定手段による判定に基づいて、当該保留特定情報の表示態様を特別態様に変化させる特別態様変化手段（例えばステップＳ７５４でＹｅｓと判定されたことに応じて、Ｓ７６０の処理に基づきステップＳ７６１の処理を実行する演出制御用ＣＰＵ１２０など）と、を備え、前記特別態様変化手段は、複数の前記保留特定情報が前記特殊態様で表示されているときには、前記特殊態様で表示されている複数の前記保留特定情報のいずれの表示態様を前記特別態様に変化させるかに応じて、異なる割合でそれぞれ表示態様の異なる複数種類の前記特別態様のいずれかに変化させる（例えばステップＳ７５７における判定結果に応じて、第１特別態様決定テーブル２０１または第２特別態様決定テーブル２０２を用いてステップＳ７６０の処理で特別態様を決定する演出制御用ＣＰＵ１２０など）ことを特徴とする。
このような構成によれば、複数の特殊態様で表示された保留特定情報のいずれが特別態様に変化するかに注目させることができ、遊技の興趣が向上する。
【手続補正書】
【提出日】平成25年5月28日(2013.5.28)
【手続補正１】
【補正対象書類名】特許請求の範囲
【補正対象項目名】全文
【補正方法】変更
【補正の内容】
【特許請求の範囲】
【請求項１】
透光性基体上に、透光性樹脂微粒子を含む放射線硬化型樹脂層が積層されている光学積層体において、前記光学積層体は、次式（１）〜（４）を充足する内部ヘイズ値（Ｘ）と全ヘイズ値（Ｙ）を有すると共に、前記樹脂層の最表面に微細な凹凸形状を有し、前記放射線硬化型樹脂層の全固形分に占める前記透光性樹脂微粒子量が１．０重量％以上７．０重量％未満であることを特徴とする光学積層体。
Ｙ＞Ｘ        （１）
Ｙ≦Ｘ＋７    （２）
Ｘ≦１５      （３）
Ｘ≧１        （４）
【請求項２】
前記微細な凹凸形状の平均傾斜角が０．４°〜１．６°であることを特徴とする、請求項１に記載の光学積層体。
【請求項３】
前記微細な凹凸形状の凹凸平均間隔（Ｓｍ）が５０〜２５０μｍであることを特徴とする、請求項１又は２に記載の光学積層体。
【請求項４】
前記樹脂層の上層に低反射層を設けることを特徴とする、請求項１〜３のいずれか一項に記載の光学積層体。
【手続補正書】
【提出日】平成25年3月13日(2013.3.13)
【手続補正１】
【補正対象書類名】特許請求の範囲
【補正対象項目名】全文
【補正方法】変更
【補正の内容】
【特許請求の範囲】
【請求項１】
電子部品が実装された配線基板の外側縁を支持する支持部と、
検査対象となる上記電子部品を撮像する撮像装置と、
上記配線基板の法線方向に拡散し、検査対象となる上記電子部品について設定された要検査部位を通過する扇状の第１の光線を斜め上方から照射する第１の照射装置と、
上記配線基板の法線方向に拡散し、上記電子部品の上記要検査部位を通過する扇状の第２の光線を斜め上方から照射する第２の照射装置とを備え、
上記第１の光線と第２の光線とが交叉することにより、上記配線基板の検査ポイントを示し、
上記撮像装置は、上記配線基板の法線方向から撮像する第１のカメラと、上記配線基板に対して斜め方向から撮像する第２のカメラとを備え、
上記第２のカメラの光軸と上記配線基板の法線とがなす面が、上記第１の照射装置又は上記第２の照射装置のいずれかの光線がなす面と同一平面上に位置する外観検査装置。
【請求項２】
上記第１、第２の照射装置と、上記撮像装置とは、上記第１のカメラの光軸と、上記第１の光線と第２の光線との交線とが一致するように配置されている請求項１記載の外観検査装置。
【請求項３】
上記支持部を上記配線基板の面内方向に移動させる移動部材を備える請求項２記載の外観検査装置。
【請求項４】
上記撮像装置が撮像した画像を写すモニタと、
上記第１の光線と上記第２の光線との交点を上記モニタの中心に合わせて表示するように上記モニタ画像を制御する制御手段とを備える請求項１記載の外観検査装置。
【請求項５】
上記第１の照射装置及び上記第２の照射装置を、上記配線基板の法線方向へ移動させる移動手段を備える請求項１記載の外観検査装置。
【請求項６】
上記第１の照射装置及び上記第２の照射装置を、上記配線基板の面内方向へ移動させる移動手段を備える請求項５記載の外観検査装置。
【請求項７】
上記第１の照射装置及び上記第２の照射装置は、上記第１の光線と上記第２の光線とが直交するように配置されている請求項１記載の外観検査装置。
【請求項８】
上記撮像装置を上記配線基板の面内方向及び上記配線基板の法線方向の全部又は一部に移動させる移動手段を備える請求項１記載の外観検査装置。
【手続補正２】
【補正対象書類名】明細書
【補正対象項目名】００１４
【補正方法】変更
【補正の内容】
【００１４】
上述した課題を解決するため、本発明に係る外観検査装置は、電子部品が実装された配線基板の外側縁を支持する支持部と、検査対象となる上記電子部品を撮像する撮像装置と、上記配線基板の法線方向に拡散し、検査対象となる上記電子部品について設定された要検査部位を通過する扇状の第１の光線を斜め上方から照射する第１の照射装置と、上記配線基板の法線方向に拡散し、上記電子部品の上記要検査部位を通過する扇状の第２の光線を斜め上方から照射する第２の照射装置とを備え、上記第１の光線と第２の光線とが交叉することにより、上記配線基板の検査ポイントを示し、上記撮像装置は、上記配線基板の法線方向から撮像する第１のカメラと、上記配線基板に対して斜め方向から撮像する第２のカメラとを備え、
上記第２のカメラの光軸と上記配線基板の法線とがなす面が、上記第１の照射装置又は上記第２の照射装置のいずれかの光線がなす面と同一平面上に位置するものである。
【手続補正書】
【提出日】平成25年7月16日(2013.7.16)
【手続補正１】
【補正対象書類名】特許請求の範囲
【補正対象項目名】全文
【補正方法】変更
【補正の内容】
【特許請求の範囲】
【請求項１】
広範囲の濃度範囲にわたって液体尿サンプル中のｈＣＧ分析物の存在および／または程度を測定するアッセイ装置であって、第１アッセイおよび第２アッセイが内部で提供されるハウジングを含み、ｈＣＧ用の第１アッセイは標識付き結合剤を不動化することのできる単独の第１アッセイ検出ゾーンを有する第１フローパスを含み、ｈＣＧ用の第２アッセイは標識付き結合剤を不動化することのできる単独の第２アッセイ検出ゾーンを有する第２フローパスを含み、検出ゾーンでの標識付き結合剤の存在が前記尿サンプル中のｈＣＧの存在および／または程度を示し、
（ａ）検出ゾーンで標識付き結合光学剤を照明し検出するための照明および検出手段と、
（ｂ）ｈＣＧのレベルまたはｈＣＧのレベルに対応する値を計算するための演算手段と、
（ｃ）アッセイ試験の結果を表示するための表示手段と、
（ｄ）記憶された基底閾値以下の値に対応するｈＣＧのレベルが妊娠していないことを示し、記憶された基底閾値またはそれを超える値に対応するｈＣＧのレベルが妊娠していることを示す記憶された基底閾値と、
（ｅ）第１閾値未満またはそれに等しい値に対応するｈＣＧのレベルが第１範囲の妊娠レベルを示し、第２閾値よりも大きな値に対応するｈＣＧのレベルが第３範囲の妊娠のレベルを示し、第１閾値より大きいかまたは等しいが第２閾値よりも小さい値に対応するｈＣＧのレベルが第２範囲のｈＣＧのレベルを示し、表示手段が妊娠していない状態または妊娠状態および妊娠の程度を示すことができるさらに他の２つの第１および第２の記憶された閾値を含む、装置。
【請求項２】
第１および／または第２フローパスが多孔質担体を含む、請求項１に記載の装置。
【請求項３】
多孔質担体がラテラルフロー多孔質担体である、請求項２に記載の装置。
【請求項４】
第１および／または第２アッセイが前記第１および／または第２アッセイ検出ゾーンの上流に提供された分析物のための移動可能な標識付き結合剤を含む、請求項１から３のいずれか一項に記載の装置。
【請求項５】
第１および／または第２アッセイの検出ゾーンが分析物のための不動化された結合剤を含む、請求項１から４のいずれか一項に記載の装置。
【請求項６】
標識付き結合剤が光学的に検出可能な粒子で標識が付けられる、請求項１から５のいずれか一項に記載の装置。
【請求項７】
第１アッセイが高感度分析物アッセイであり、第２アッセイが低感度分析物アッセイである、請求項１から６のいずれか一項に記載の装置。
【請求項８】
共通の多孔質サンプル受容部を含む、請求項１から７のいずれか一項に記載の装置。
【請求項９】
第１アッセイが第１アッセイ検出ゾーンの上流に提供された分析物のための移動可能な標識付き結合剤を含み、検出ゾーンが分析物のための不動化された結合剤を含み、第２アッセイが分析物の第１結合領域のための移動可能な標識付き結合剤および第２アッセイ検出ゾーンの上流に提供された分析物のためのスカベンジャ結合剤を含み、前記第２アッセイ検出ゾーンが標識付き結合剤を結合することのできる、請求項１から５のいずれか一項に記載の装置。
【請求項１０】
第２アッセイ検出ゾーンが分析物のための不動化された結合剤を含む、請求項９に記載の装置。
【請求項１１】
第２アッセイについて、スカベンジャ結合剤が移動可能な標識付き結合剤よりも高い分析物に対する結合親和性を有する、請求項９または１０に記載の装置。
【請求項１２】
第２アッセイの移動可能な標識付き結合剤とスカベンジャ結合剤がそれぞれ分析物の第１および第２結合領域に結合し、第２アッセイ検出ゾーンが分析物の第２結合領域のための不動化された結合剤を含む、請求項９から１１のいずれか一項に記載の装置。
【請求項１３】
第２アッセイの移動可能な標識付き結合剤とスカベンジャ結合剤が同じ領域に提供される、請求項９から１２のいずれか一項に記載の装置。
【請求項１４】
スカベンジャ結合剤が移動可能な形で提供される、請求項９から１３のいずれか一項に記載の装置。
【請求項１５】
第１アッセイがサンドイッチアッセイであり、第２アッセイが競合または阻害アッセイである、請求項１から１４のいずれか一項に記載の装置。
【手続補正書】
【提出日】平成25年8月8日(2013.8.8)
【手続補正１】
【補正対象書類名】明細書
【補正対象項目名】００４７
【補正方法】変更
【補正の内容】
【００４７】
図３に示す如く、４個のシフトピース３０ｄｎの他端側はそれぞれスパナ状に形成された係合部３０ｄｎ１を有し、係合部３０ｄｎ１はシフトアーム３０ｂの突起３０ｂ１と係合し、よってシフトフォーク３０ｃｎを介して対応するスリーブ１０ｘ，１０ｙ，１０ｚを入力軸１０ａあるいは出力軸１０ｂの軸方向に移動可能に構成される。
【手続補正２】
【補正対象書類名】明細書
【補正対象項目名】００６０
【補正方法】変更
【補正の内容】
【００６０】
図２と図３の説明に戻ると、シフトアーム３０ｂにおいて、突起３０ｂ１の形成位置と反対側には４個のシフトピース３０ｄと同程度の軸方向厚みを有する第２の突起３０ｂ２が形成される。以下、この第２の突起３０ｂ２を「ターゲット」という。
【手続補正３】
【補正対象書類名】明細書
【補正対象項目名】００８９
【補正方法】変更
【補正の内容】
【００８９】
Ｓ１１２で否定されるときは以降の処理をスキップする一方、肯定されて規定時間が経過したと判断されるときはＳ１１４に進み、センサ出力がＮ（ニュートラル位置）を示しているか否か判断する。
【手続補正４】
【補正対象書類名】図面
【補正対象項目名】図５
【補正方法】変更
【補正の内容】
【図５】
2013092194.tif 000001
【手続補正５】
【補正対象書類名】図面
【補正対象項目名】図６
【補正方法】変更
【補正の内容】
【図６】
2013092194.tif 000002
【手続補正６】
【補正対象書類名】図面
【補正対象項目名】図７
【補正方法】変更
【補正の内容】
【図７】
2013092194.tif 000003
【手続補正書】
【提出日】平成25年7月22日(2013.7.22)
【手続補正１】
【補正対象書類名】特許請求の範囲
【補正対象項目名】請求項１１
【補正方法】変更
【補正の内容】
【請求項１１】
前記電気化学システムの充電状態と、健全状態と、温度とが前記出力信号として記録される、請求項１から９のいずれか１項に記載の方法。
【手続補正２】
【補正対象書類名】特許請求の範囲
【補正対象項目名】請求項１５
【補正方法】変更
【補正の内容】
【請求項１５】
請求項１２または１３に記載の管理装置を充電器と放電器の少なくともいずれかの制御及び管理に使用すること。
【手続補正書】
【提出日】平成25年8月1日(2013.8.1)
【手続補正１】
【補正対象書類名】特許請求の範囲
【補正対象項目名】全文
【補正方法】変更
【補正の内容】
【特許請求の範囲】
【請求項１】
第１の表面を含むベルトと、
前記第１の表面を加熱するための少なくとも１つの熱源と、
第２の表面を含むロールと、
前記第２の表面の温度を測定するために配置された温度センサと、
前記温度センサにより測定された温度に応じて、前記ベルトの前記第１の表面と接触するように前記ロールの前記第２の表面を配置してニップを形成して前記第２の表面の温度を上げ、一方、前記第１の表面に対して離すように前記第２の表面を配置して前記第２の表面の温度を下げるために、前記ロールに結合されたロール位置決め装置と、を備える印刷に有用な装置であって、
前記ロールは前記第２の表面を加熱するための内側熱源を含まず、かつ、前記装置は前記第２の表面を冷却するための外側冷却デバイスを含まず、
前記ロール位置決め装置は、前記ロールを支持して第１の方向および第２の方向に回転可能なアームであって、前記ロールが容易に回転可能で且つ取り外し可能にするために前記ロールの端部を取り囲まないようにして前記ロールに連結されるアームと、カムと、前記アームおよび前記カムを弾性的に付勢するように配置される少なくとも１つのスプリングとを有し、
前記カムは、前記ロールを前記ベルトに向かって移動させる前記第１の方向に前記アームを回転させるか、または、前記ロールを前記ベルトから離すように移動させる前記第２の方向に前記アームを回転させるように、選択的に回転可能であるとともに、少なくとも第１ないし第４の設定を含む外側表面を有し、
前記第１の設定は、前記第２の表面が前記第１の表面に接触するよう配置されて前記装置の処理方向に関して第１の幅の前記ニップを形成する設定であり、
前記第２の設定は、前記第２の表面が前記第１の表面に接触するよう配置されて前記装置の処理方向に関して前記第１の幅より広い第２の幅の前記ニップを形成する設定であり、
前記第３の設定は、前記第２の表面が前記第１の表面から離れて配置される設定であり、
前記第４の設定は、前記ベルト、前記ロールおよび前記ロール位置決め装置にかかる応力を少なくするために、前記ロールの加熱中および冷却中に、最も狭い幅の前記ニップを与えるような設定である、
印刷に有用な装置。
【請求項２】
請求項１の装置であって、
前記温度センサおよび前記ロール位置決め装置が、コントローラに接続されており、前記ロール位置決め装置の動作をコントロールして、前記温度センサにより前記コントローラに送信された信号に応答して、前記ロールを前記ベルトに対して移動させ、前記ロールの前記第２の表面の温度をコントロールするように構成されている装置。
【請求項３】
第１の表面を含む第１のロールと、
前記第１の表面を加熱するための熱源と、
第２の表面を含む第２のロールと、
前記第２の表面の温度を測定するために配置された温度センサと、
前記温度センサにより測定された温度に応じて、前記第１のロールの前記第１の表面と接触する前記第２のロールの前記第２の表面を配置してニップを形成して前記第２の表面の温度を上げ、一方、前記第１の表面に対して離すように前記第２の表面を配置して前記第２の表面の温度を下げるために、前記第２のロールに結合されたロール位置決め装置と、を備える印刷に有用な装置であって、
前記第２のロールは前記第２の表面を加熱するための内側熱源を含まず、かつ、前記装置は前記第２の表面を冷却するための外側冷却デバイスを含まず、
前記ロール位置決め装置は、前記第２のロールを支持して第１の方向および第２の方向に回転可能なアームであって、前記第２のロールが容易に回転可能で且つ取り外し可能にするために前記第２のロールの端部を取り囲まないようにして前記第２のロールに連結されるアームと、カムと、前記アームおよび前記カムを弾性的に付勢するように配置される少なくとも１つのスプリングとを有し、
前記カムは、前記第２のロールを前記第１のロールに向かって移動させる前記第１の方向に前記アームを回転させるか、または、前記第２のロールを前記第１のロールから離すように移動させる前記第２の方向に前記アームを回転させるように、選択的に回転可能であるとともに、少なくとも第１ないし第４の設定を含む外側表面を有し、
前記第１の設定は、前記第２の表面が前記第１の表面に接触するよう配置されて前記装置の処理方向に関して第１の幅の前記ニップを形成する設定であり、
前記第２の設定は、前記第２の表面が前記第１の表面に接触するよう配置されて前記装置の処理方向に関して前記第１の幅より広い第２の幅の前記ニップを形成する設定であり、
前記第３の設定は、前記第２の表面が前記第１の表面から離れて配置される設定であり、
前記第４の設定は、前記第２のロールおよび前記ロール位置決め装置にかかる応力を少なくするために、前記第２のロールの加熱中および冷却中に、最も狭い幅の前記ニップを与えるような設定である、
印刷に有用な装置。
【請求項４】
請求項３の装置であって、
前記温度センサおよび前記ロール位置決め装置が、コントローラに接続されており、前記コントローラが、前記ロール位置決め装置の動作をコントロールして、前記温度センサから前記コントローラに送信された信号に応答して、前記第２のロールを前記第１のロールに対して移動させ、前記第２のロールの前記第２の表面の温度をコントロールする装置。
【手続補正書】
【提出日】平成25年7月12日(2013.7.12)
【手続補正１】
【補正対象書類名】特許請求の範囲
【補正対象項目名】全文
【補正方法】変更
【補正の内容】
【特許請求の範囲】
【請求項１】
EUVシステムで用いる反射光学素子（１０）であって、
少なくとも部分的には、５０Ｗ／mＫよりも大きい熱伝導率を有する基板材から生成されるベース体（１）と、
前記基板材に適用され、研磨加工可能なアモルファス材料を含む、研磨層（２）と、を備え、
冷却媒体（７）が流れる少なくとも１つの冷却チャネル（６）は、前記ベース体内に配置されており、前記冷却チャネル（６）の少なくとも一つのセクションは、当該セクション内にて前記冷却媒体（７）が乱流を生じるように構成されている、
ことを特徴とする反射光学素子。
【請求項２】
撹乱素子が少なくとも１つの前記冷却チャネル（６）内の少なくとも１つのセクション内に配置され、又は、前記冷却チャネル（６）の少なくとも１つのセクションが、前記冷却チャネル内において不連続性を有し、これによって、前記セクション内にて前記冷却媒体（７）の乱流が生成されることを特徴とする、請求項１に記載の反射光学素子。
【請求項３】
前記基板材は、６０ＧＰａより大きい弾性係数を有することを特徴とする、請求項１又は２に記載の反射光学素子。
【請求項４】
前記基板材は、最大でも密度が３．５ｇ／ｃｍ3である、ことを特徴とする、請求項１〜３のいずれか一項に記載の反射光学素子。
【請求項５】
特に、アルミニウム、及び／又は、アルミニウム合金を含む金属基板を、基板材として備えることを特徴とする、請求項１〜４のいずれか一項に記載の反射光学素子。
【請求項６】
特に、炭化ケイ素及び／又はシリコン含浸炭化ケイ素、及び／又は、窒化ケイ素、及び／又は、ポリシリコンを含むセラミック素材を、基板材として備えることを特徴とする、請求項１〜４のいずれか一項に記載の反射光学素子。
【請求項７】
特に、炭化ケイ素分散強化アルミニウムを含む、金属複合材基板を、基板材として備えることを特徴とする、請求項１〜４のいずれか一項に記載の反射光学素子。
【請求項８】
研磨層（２）のアモルファス材料は、アモルファスシリコン、アモルファス一酸化ケイ素、アモルファス二酸化ケイ素、又はニッケルを含むことを特徴とする、請求項１〜７のいずれか一項に記載の反射光学素子。
【請求項９】
前記反射光学素子（１０）は、前記研磨層（２）上に形成された反射層（３）を備えることを特徴とする、請求項１〜８のいずれか一項に記載の反射光学素子。
【請求項１０】
前記反射層（３）は、Ｍｏ／Ｓｉ又はＲｕ／Ｓｉの層で形成されることを特徴とする、請求項９に記載の反射光学素子。
【請求項１１】
前記冷却チャネル（６）は、０．５ｍｍ２より大きい断面積を有することを特徴とする、請求項１〜１０のいずれか一項に記載の反射光学素子。
【請求項１２】
前記断面積は、４０ｍｍ２〜１００ｍｍ２であることを特徴とする、請求項１１に記載の反射光学素子。
【請求項１３】
一つの冷却チャネル（６）又は複数の冷却チャネルのセクションは、前記ベース体（１）内にて、相互に平行に、らせん状に、蛇行して、又は、放射状に配置されていることを特徴とする、請求項１〜１２のいずれか一項に記載の反射光学素子。
【請求項１４】
EUVシステムで用いる反射光学素子の製造方法であって、
ａ）５０W/mKよりも大きい熱伝導率を有する基板材を含むベース体（１）を製造するステップであって、少なくとも一つの冷却チャネル（６）が前記ベース体（１）内に形成され、前記冷却チャネル（６）の少なくとも一つのセクションが、該セクション内で冷却媒体（７）が乱流を生じるように構成された、ステップと、
ｂ）前記光学素子の所望表面形状に近似するように、前記ベース体（１）の表面（８）を形成するステップと、
ｃ）前記ベース体（６）の前記表面（８）に対して、アモルファス材料を含む研磨層（２）を適用するステップと、
ｄ）前記光学素子の前記所望表面形状に更に近づけるために前記研磨層（２）を加工するステップと、
を含むことを特徴とする、反射光学素子の製造方法。
【請求項１５】
前記ステップｂ）において、前記ベース体（１）の前記表面（８）は、表面精度が最大でも２５μｍ、特に、表面精度が最大１０μｍ、及び／又は、粗さが最大でもＲａ＝１μｍとなるように、形成されることを特徴とする、請求項１４に記載の反射光学素子の製造方法。
【請求項１６】
前記反射層（３）は、後続するステップにて、前記研磨層（２）に適用されることを特徴とする、請求項１４又は１５に記載の反射光学素子の製造方法。
【手続補正書】
【提出日】平成25年8月13日(2013.8.13)
【手続補正１】
【補正対象書類名】特許請求の範囲
【補正対象項目名】全文
【補正方法】変更
【補正の内容】
【特許請求の範囲】
【請求項１】
（ａ）光データ記憶媒体を製造する工程であって、ポリマーマトリックスと、三重項励起に伴って光化学変化を起こして生成物を形成し、もって光データ記憶媒体に屈折率変化を起こすことができる反応物質と、４０５ｎｍの化学線を吸収して反応物質への上方三重項エネルギー移動を起こすことができる１種以上の白金エチニル錯体を含有する非線形増感剤とを含む光データ記憶媒体を製造する工程と、
（ｂ）４０５ｎｍの波長及び閾値を超える強度を有する化学線で前記光データ記憶媒体を照射することによって光データ記憶媒体にホログラムを記録する工程と
を含む方法。
【請求項２】
前記１種以上の白金エチニル錯体がｔｒａｎｓ−白金エチニル錯体であって、ビス（トリブチルホスフィン）ビス（４−エチニルビフェニル）白金（略号ＰＰＥ）、ビス（トリブチルホスフィン）ビス（４−エチニル−１−（２−フェニルエチニル）ベンゼン）白金（略号ＰＥ２）、ビス（１−エチニル−４−（４−ｎ−ブチルフェニルエチニル）ベンゼン）ビス（トリ−ｎ−ブチルホスフィン）Ｐｔ（ＩＩ）（略号ｎ−Ｂｕ−ＰＥ２）、ビス（１−エチニル−４−（４−フルオロフェニルエチニル）ベンゼン）ビス（トリ−ｎ−ブチルホスフィン）Ｐｔ（ＩＩ）（略号Ｆ−ＰＥ２）、ビス（１−エチニル−４−（４−メトキシフェニルエチニル）ベンゼン）ビス（トリ−ｎ−ブチルホスフィン）Ｐｔ（ＩＩ）（略号ＭｅＯ−ＰＥ２）、ビス（１−エチニル−４−（４−メチルフェニルエチニル）ベンゼン）ビス（トリ−ｎ−ブチルホスフィン）Ｐｔ（ＩＩ）（略号Ｍｅ−ＰＥ２）、ビス（１−エチニル−４−（３，５−ジメトキシフェニルエチニル）ベンゼン）ビス（トリ−ｎ−ブチルホスフィン）Ｐｔ（ＩＩ）（略号３，５−ｄｉＭｅＯ−ＰＥ２）、ビス（１−エチニル−４−（４−（Ｎ，Ｎ−ジメチルアミノ）フェニルエチニル）ベンゼン）ビス（トリ−ｎ−ブチルホスフィン）Ｐｔ（ＩＩ）（略号ＤＭＡ−ＰＥ２）又はこれらの組合せを含む、請求項１記載の方法。
【請求項３】
前記白金エチニル錯体が、ＰＰＥ、ＰＥ２又はこれらの組合せを含む、請求項２記載の方法。
【請求項４】
前記光データ記憶媒体が、前記非線形増感剤から反応物質への上方三重項エネルギー移動を促進する媒介物をさらに含んでいる、請求項１乃至請求項３のいずれか１項記載の方法。
【請求項５】
前記媒介物が、アセトフェノン、ジメチルフタレート、ベンゾフェノン、９Ｈ−フルオレン、ビフェニル、フェナントレン、１−ナフトニトリル又はこれらの組合せを含む、請求項４記載の方法。
【請求項６】
前記反応物質がスチルベン誘導体、シンナメート誘導体、シンナムアミド誘導体又はこれらの組合せを含む、請求項１乃至請求項５のいずれか１項記載の方法。
【請求項７】
前記反応物質がｔｒａｎｓ−スチルベン、ｔｒａｎｓ−メトキシスチルベン又はこれらの組合せを含む、請求項６記載の方法。
【請求項８】
前記反応物質が、ポリビニルシンナメート（略号ＰＶＣｍ）、ポリビニル−４−クロロシンナメート（略号ＰＶＣｌＣｍ）、ポリビニル−４−メトキシシンナメート（略号ＰＶＭｅＯＣｍ）、（２Ｅ，２’Ｅ）−（（１Ｓ，２Ｓ）−シクロヘキサン−１，２−ジイル）ビス（３−フェニルアクリレート）、（２Ｅ，２’Ｅ）−（（１Ｓ，２Ｓ）−シクロヘキサン−１，２−ジイル）ビス（４−クロロフェニルアクリレート）、（２Ｅ，２’Ｅ）−（（１Ｓ，２Ｓ）−シクロヘキサン−１，２−ジイル）ビス（４−メトキシフェニルアクリレート）、（２Ｅ，２’Ｅ）−Ｎ，Ｎ’−（（１Ｓ，２Ｓ）−シクロヘキサン−１，２−ジイル）ビス（３−フェニルアクリルアミド）、（２Ｅ，２’Ｅ）−Ｎ，Ｎ’−（（１Ｓ，２Ｓ）−シクロヘキサン−１，２−ジイル）ビス（３−（４−クロロフェニル）アクリルアミド）、（２Ｅ，２’Ｅ）−Ｎ，Ｎ’−（（１Ｓ，２Ｓ）−シクロヘキサン−１，２−ジイル）ビス（３−（４−メトキシフェニル）アクリルアミド）又はこれらの組合せを含む、請求項６記載の方法。
【請求項９】
前記ポリマーマトリックスが、ポリ（アルキルメタクリレート）、ポリ（アルキルアクリレート）、ポリスチレン、ポリカーボネート、ポリアクリレート、ポリ塩化ビニリデン又はポリ酢酸ビニルを含む、請求項１乃至請求項８のいずれか１項記載の方法。
【請求項１０】
前記反応物質及び非線形増感剤がポリマーマトリックス全体に均一に分散している、請求項１乃至請求項９のいずれか１項記載の方法。
【手続補正２】
【補正対象書類名】明細書
【補正対象項目名】００３２
【補正方法】変更
【補正の内容】
【００３２】
ポリビニルシンナメート及びシンナムアミド類似体の例には、ポリビニルシンナメート（略号ＰＶＣｍ）、ポリビニル−４−クロロシンナメート（略号ＰＶＣｌＣｍ）、ポリビニル−４−メトキシシンナメート（略号ＰＶＭｅＯＣｍ）、（２Ｅ，２’Ｅ）−（（１Ｓ，２Ｓ）−シクロヘキサン−１，２−ジイル）ビス（３−フェニルアクリレート）、（２Ｅ，２’Ｅ）−（（１Ｓ，２Ｓ）−シクロヘキサン−１，２−ジイル）ビス（４−クロロフェニルアクリレート）、（２Ｅ，２’Ｅ）−（（１Ｓ，２Ｓ）−シクロヘキサン−１，２−ジイル）ビス（４−メトキシフェニルアクリレート）、（２Ｅ，２’Ｅ）−Ｎ，Ｎ’−（（１Ｓ，２Ｓ）−シクロヘキサン−１，２−ジイル）ビス（３−フェニルアクリルアミド）、（２Ｅ，２’Ｅ）−Ｎ，Ｎ’−（（１Ｓ，２Ｓ）−シクロヘキサン−１，２−ジイル）ビス（３−（４−クロロフェニル）アクリルアミド）、（２Ｅ，２’Ｅ）−Ｎ，Ｎ’−（（１Ｓ，２Ｓ）−シクロヘキサン−１，２−ジイル）ビス（３−（４−メトキシフェニル）アクリルアミド）が挙げられるが、これらに限らない。これらを以下に示す。
【手続補正書】
【提出日】平成25年5月30日(2013.5.30)
【手続補正１】
【補正対象書類名】特許請求の範囲
【補正対象項目名】全文
【補正方法】変更
【補正の内容】
【特許請求の範囲】
【請求項１】
各画素の画素回路によって制御される電気泳動方式表示素子と、
照度センサと、
表示制御部とを有し、
前記表示制御部は、前記照度センサで検出した照度に応じて、前記電気泳動方式表示素子で表示する文字を拡大して表示するよう画像信号を補正する機能、及び画像の階調表示を行うための前記画像信号の階調数を補正する機能を含むことを特徴とする電子書籍。
【請求項２】
各画素の画素回路によって制御される電気泳動方式表示素子と、
照度センサと、
表示制御部とを有し、
前記表示制御部は、階調補正回路と、演算回路と、文字拡大回路と、画像信号発生回路と、を有し、
前記文字拡大回路は、前記照度センサで検出した照度に応じて、前記演算回路によって制御され、前記電気泳動方式表示素子で表示する文字を拡大して表示するよう、前記画像信号発生回路に入力する画像信号を補正する機能を有し、
前記階調補正回路は、前記照度センサで検出した照度に応じて、前記演算回路によって制御され、前記電気泳動方式表示素子による画像の階調表示を行うための、前記画像信号発生回路に入力する前記画像信号の階調数を補正する機能を有することを特徴とする電子書籍。
【請求項３】
請求項１又は請求項２において、
前記画素回路が有するトランジスタと、前記照度センサが有する光電変換素子とは、同一基板上に設けられていることを特徴とする電子書籍。
【手続補正書】
【提出日】平成25年1月8日(2013.1.8)
【手続補正１】
【補正対象書類名】特許請求の範囲
【補正対象項目名】全文
【補正方法】変更
【補正の内容】
【特許請求の範囲】
【請求項１】
無線により基地局と通信可能な複数の移動局と、前記基地局を介して前記複数の移動局の位置情報と実車／空車情報とを含む移動局情報を収集するとともに、移動局に対する配車指示を行う管理センタとを備えた配車システムであって、
前記管理センタは、管理センタ制御部と管理センタ記憶部とを備え、前記管理センタ制御部は、前記管理センタ記憶部に記憶した移動局情報に基づき作成された配車指示情報を、基地局を介して移動局へ送信するものであり、
前記移動局は、基地局を介して、自局の移動局情報を前記管理センタへ送信するものであって、移動局情報を送信する移動局情報送信タイミングを、移動局の状態に応じて変更することを特徴とする配車システム。
【請求項２】
前記移動局は、前記移動局情報を送信する移動局情報送信タイミングを、当該移動局の状態が実車か空車か応じて変更することを特徴とする、請求項１記載の配車システム。
【請求項３】
前記管理センタは、前記移動局情報送信タイミングを指定する送信タイミング指定情報を、前記基地局を介して移動局へ送信し、該移動局に前記送信タイミング指定情報を設定することを特徴とする、請求項１記載の配車システム。